(57)【要約】【課題】  利用者が意図した形状への各アイコンの配置を簡単な操作で行えるようにする。【解決手段】  対象アイコン受付部８で、再配置する対象の各アイコンの指定を利用者から受け付け、配置条件受付部７で、利用者によるマウス等のポインティングデバイス（入力機器４）の動作に伴って移動したカーソルの軌跡が示す移動の経路を、各アイコンを配置する形状として受け付けると、当該経路上に所定の間隔をもって各アイコンの位置座標を算出し、アイコン情報保持部２中の該当するアイコン情報を更新する。そして、表示処理部５により当該更新されたアイコン情報の内容で画面３上のアイコンが再表示され、利用者が指定した形状に各アイコンが配置される。【選択図】  図１
2008040771.tif 000002
【特許請求の範囲】
【請求項１】
電子ファイルを表象する複数の表象画像を画面に表示処理する表示処理手段と、
複数の表象画像を配置する形状の指定を利用者から受け付ける配置条件受付手段と、
複数の表象画像を前記形状に沿って配置して前記表示処理手段により表示させる再配置手段と、
を備えたことを特徴とする表象画像再配置装置。
【請求項２】
前記配置条件受付手段は、画面上の位置の指定を利用者から更に受け付け、
前記再配置手段は、前記受け付けた位置を基準に各表象画像を配置することを特徴とする請求項１に記載の表象画像再配置装置。
【請求項３】
前記配置条件受付手段は、前記形状を拡大又は縮小する変換率の指定を利用者から更に受け付け、
前記再配置手段は、前記受け付けた変換率に基づき変換された形状に沿って各表象画像を配置することを特徴とする請求項１に記載の表象画像再配置装置。
【請求項４】
前記配置条件受付手段は、画面上の位置及び前記形状を拡大又は縮小する変換率の指定を利用者から更に受け付け、
前記再配置手段は、前記受け付けた位置を基準に前記受け付けた変換率に基づき変換された形状に沿って各表象画像を配置することを特徴とする請求項１に記載の表象画像再配置装置。
【請求項５】
前記配置条件受付手段は、各表象画像間を距離の指定を利用者から更に受け付け、
前記再配置手段は、前記受け付けた距離ずつ各表象画像を離して配置することを特徴とする請求項１乃至請求項４のいずれか１項に記載の表象画像再配置装置。
【請求項６】
前記再配置手段は、前記受け付けた変換率に応じた距離ずつ各表象画像を離して配置することを特徴とする請求項３又は請求項４に記載の表象画像再配置装置。
【請求項７】
前記配置条件受付手段は、形状の入力の開始指示及び終了指示を利用者から受け付け、画面上の所定位置を指し示す指示画像が開始指示から終了指示までに利用者の操作入力により移動した経路を前記形状として受け付けることを特徴とする請求項１乃至請求項６のいずれか１項に記載の表象画像再配置装置。
【請求項８】
前記配置条件受付手段は、開始指示から終了指示までの指示画像の移動速度に応じた値を前記形状の変換率として受け付けることを特徴とする請求項７に記載の表象画像再配置装置。
【請求項９】
前記配置条件受付手段は、形状の入力の開始指示及び終了指示を利用者から受け付け、画面上の所定位置を指し示す指示画像の開始指示時の位置と利用者の操作入力により移動した当該指示画像の終了指示時の位置とが示す線分を前記形状として受け付けることを特徴とする請求項１乃至請求項６のいずれか１項に記載の表象画像再配置装置。
【請求項１０】
前記配置条件受付手段は、開始指示から終了指示までの指示画像の移動の直線距離又は移動速度に応じた値を前記形状の変換率として受け付けることを特徴とする請求項９に記載の表象画像再配置装置。
【請求項１１】
前記配置条件受付手段は、予め設定された形状の指定を利用者から受け付けることを特徴とする請求項１乃至請求項６のいずれか１項に記載の表象画像再配置装置。
【請求項１２】
前記再配置手段は、電子ファイルに付加された属性情報に応じた順番に各表象画像を並べて配置することを特徴とする請求項１乃至請求項１１のいずれか１項に記載の表象画像再配置装置。
【請求項１３】
前記属性情報は、電子ファイルの作成日時、ファイル名、更新日時、ファイルサイズ、製作者、ファイル種別、文書の電子ファイルの総ページ数、文書の電子ファイルの文書表題、電子ファイルについて利用者が予め設定した情報、の少なくともいずれか１つであることを特徴とする請求項１２に記載の表象画像再配置装置。
【請求項１４】
複数の表象画像の指定を利用者から受け付ける対象受付手段を備え、
前記再配置手段は、前記受け付けた各表象画像を前記形状に沿って配置することを特徴とする請求項１乃至請求項１３のいずれか１項に記載の表象画像再配置装置。
【請求項１５】
複数のページを含む文書の電子ファイルを各ページ毎の文書の電子ファイルに分割する分割手段を備え、
前記再配置手段は、前記分割した各ページ毎の文書の電子ファイルの表象画像を前記形状に沿って配置することを特徴とする請求項１乃至請求項１３のいずれか１項に記載の表象画像再配置装置。
【請求項１６】
電子ファイルを表象する複数の表象画像を画面に表示処理する表示処理機能と、
複数の表象画像を配置する形状の指定を利用者から受け付ける配置条件受付機能と、
複数の表象画像を前記形状に沿って配置して前記表示処理機能により表示させる再配置機能と、
をコンピュータに実行させることにより構成する表象画像再配置プログラム。
【発明の詳細な説明】
【技術分野】
【０００１】
本発明は、表象画像再配置装置、表象画像再配置プログラムに関する。
【背景技術】
【０００２】
複数の電子文書を管理／表示可能な電子文書処理装置において、現実の机を画面上に仮想的に表現して電子文書を扱うことが行われている。これらの電子文書処理装置においては、仮想的に表現した机上空間（作業領域）を利用者に提供し、電子文書を表象する表象画像（例えばアイコン）を利用者が作業領域上の自由な位置に配置可能にすることで、利用者にアイコンの配置や整理方法を任せ、現実の机の感覚を画面上に表現する手法が知られている。
【０００３】
ここで、アイコンの整列や操作等に係る発明として、未整列アイコンと整列アイコンの組を作り、整列先が空いた場合には、そこに最も近い未整列アイコンを空き整列先に移動する発明（特許文献１参照）、アイコンを互いに粘着させ、集合として移動させることによって、アイコンの操作、編成、分類、配置を行う発明（特許文献２参照）、利用者の意図に従った類似性尺度を利用してアイコンを配置する発明（特許文献３参照）、等が提案されている。
【特許文献１】特開平０７−２１９７４２号公報
【特許文献２】特開平０９−２１２３３０号公報
【特許文献３】特開平１０−１１６２９６号公報
【発明の開示】
【発明が解決しようとする課題】
【０００４】
現実の世界において文書を整理等する場合は、各文書を１つずつ移動したり、複数の文書を一度まとめて移動した後に再配置することで行われている。
一方、仮想的に表現された作業領域上では、マウス等のポインティングデバイスを使用して、対象の電子文書を示すアイコンを複数選択して同時に動かしたり、その選択アイコンをファイル名順に並べ替えたりすることで、アイコンで表象された電子文書の整理を実現している。
【０００５】
しかしながら、従来のアイコン整理方法では、ファイル名やサイズ等を基準にした画一的な並べ替えを行うことは可能だが、例えば、斜め方向に並べたり、円状に配置したりというように、利用者が意図した形状に配置するためには、利用者がアイコンを１つずつ該当位置に移動しなければならず、利用者にとって面倒な作業であった。
【０００６】
本発明は、上記従来の事情に鑑みなされたものであり、利用者が意図した形状への各表象画像の配置を簡単な操作で行えるようにすることを目的とする。
【課題を解決するための手段】
【０００７】
請求項１に記載の本発明は、電子ファイルを表象する複数の表象画像を画面に表示処理する表示処理手段と、複数の表象画像を配置する形状の指定を利用者から受け付ける配置条件受付手段と、複数の表象画像を前記形状に沿って配置して前記表示処理手段により表示させる再配置手段と、を備えたことを特徴とする表象画像再配置装置である。
【０００８】
請求項２に記載の本発明は、請求項１に記載の表象画像再配置装置において、前記配置条件受付手段は、画面上の位置の指定を利用者から更に受け付け、前記再配置手段は、前記受け付けた位置を基準に各表象画像を配置することを特徴とする。
【０００９】
請求項３に記載の本発明は、請求項１に記載の表象画像再配置装置において、前記配置条件受付手段は、前記形状を拡大又は縮小する変換率の指定を利用者から更に受け付け、前記再配置手段は、前記受け付けた変換率に基づき変換された形状に沿って各表象画像を配置することを特徴とする。
【００１０】
請求項４に記載の本発明は、請求項１に記載の表象画像再配置装置において、前記配置条件受付手段は、画面上の位置及び前記形状を拡大又は縮小する変換率の指定を利用者から更に受け付け、前記再配置手段は、前記受け付けた位置を基準に前記受け付けた変換率に基づき変換された形状に沿って各表象画像を配置することを特徴とする。
【００１１】
請求項５に記載の本発明は、請求項１乃至請求項４のいずれか１項に記載の表象画像再配置装置において、前記配置条件受付手段は、各表象画像間を距離の指定を利用者から更に受け付け、前記再配置手段は、前記受け付けた距離ずつ各表象画像を離して配置することを特徴とする。
【００１２】
請求項６に記載の本発明は、請求項３又は請求項４に記載の表象画像再配置装置において、前記再配置手段は、前記受け付けた変換率に応じた距離ずつ各表象画像を離して配置することを特徴とする。
【００１３】
請求項７に記載の本発明は、請求項１乃至請求項６のいずれか１項に記載の表象画像再配置装置において、前記配置条件受付手段は、形状の入力の開始指示及び終了指示を利用者から受け付け、画面上の所定位置を指し示す指示画像が開始指示から終了指示までに利用者の操作入力により移動した経路を前記形状として受け付けることを特徴とする。
【００１４】
請求項８に記載の本発明は、請求項７に記載の表象画像再配置装置において、前記配置条件受付手段は、開始指示から終了指示までの指示画像の移動速度に応じた値を前記形状の変換率として受け付けることを特徴とする。
【００１５】
請求項９に記載の本発明は、請求項１乃至請求項６のいずれか１項に記載の表象画像再配置装置において、前記配置条件受付手段は、形状の入力の開始指示及び終了指示を利用者から受け付け、画面上の所定位置を指し示す指示画像の開始指示時の位置と利用者の操作入力により移動した当該指示画像の終了指示時の位置とが示す線分を前記形状として受け付けることを特徴とする。
【００１６】
請求項１０に記載の本発明は、請求項９に記載の表象画像再配置装置において、前記配置条件受付手段は、開始指示から終了指示までの指示画像の移動の直線距離又は移動速度に応じた値を前記形状の変換率として受け付けることを特徴とする。
【００１７】
請求項１１に記載の本発明は、請求項１乃至請求項６のいずれか１項に記載の表象画像再配置装置において、前記配置条件受付手段は、予め設定された形状の指定を利用者から受け付けることを特徴とする。
【００１８】
請求項１２に記載の本発明は、請求項１乃至請求項１１のいずれか１項に記載の表象画像再配置装置において、前記再配置手段は、電子ファイルに付加された属性情報に応じた順番に各表象画像を並べて配置することを特徴とする。
【００１９】
請求項１３に記載の本発明は、請求項１２に記載の表象画像再配置装置において、前記属性情報は、電子ファイルの作成日時、ファイル名、更新日時、ファイルサイズ、製作者、ファイル種別、文書の電子ファイルの総ページ数、文書の電子ファイルの文書表題、電子ファイルについて利用者が予め設定した情報、の少なくともいずれか１つであることを特徴とする。
【００２０】
請求項１４に記載の本発明は、請求項１乃至請求項１３のいずれか１項に記載の表象画像再配置装置において、複数の表象画像の指定を利用者から受け付ける対象受付手段を備え、前記再配置手段は、前記受け付けた各表象画像を前記形状に沿って配置することを特徴とする。
【００２１】
請求項１５に記載の本発明は、請求項１乃至請求項１３のいずれか１項に記載の表象画像再配置装置において、複数のページを含む文書の電子ファイルを各ページ毎の文書の電子ファイルに分割する分割手段を備え、前記再配置手段は、前記分割した各ページ毎の文書の電子ファイルの表象画像を前記形状に沿って配置することを特徴とする。
【００２２】
請求項１６に記載の本発明は、電子ファイルを表象する複数の表象画像を画面に表示処理する表示処理機能と、複数の表象画像を配置する形状の指定を利用者から受け付ける配置条件受付機能と、複数の表象画像を前記形状に沿って配置して前記表示処理機能により表示させる再配置機能と、をコンピュータに実行させることにより構成する表象画像再配置プログラムである。
【発明の効果】
【００２３】
本発明の表象画像再配置装置によると、利用者が意図した形状への各表象画像の再配置を、各表象画像を配置する形状を指定するという簡単な操作で行うことができる。
【００２４】
また、本発明の表象画像再配置装置によると、各表象画像を配置する形状の位置及び形状を拡大又は縮小する変換率として、予め設定された規定値を用いるほか、利用者から位置及び変換率の指定を受け付けて用いることで、利用者が意図した位置及び変換率に基づき変換された形状に各表象画像を再配置できる。
【００２５】
また、本発明の表象画像再配置装置によると、配置する各表象画像間の距離として、予め設定された規定値を用いるほか、利用者から距離の指定を受け付けて用いることで、利用者が意図した間隔で各表象画像を再配置できる。また、利用者から受け付けた変換率に応じた距離とすることで、形状の変換率を指定するだけで当該変換率に応じた間隔で各表象画像を再配置できる。
【００２６】
また、本発明の表象画像再配置装置によると、各表象画像を配置する形状として、利用者による指示画像（例えばカーソル）の移動操作に応じた形状を用いることで、利用者が独自に描画した形状に各表象画像の再配置できる。また、予め設定された形状を用いることで、形状の描画の手間を省くことができる。
【００２７】
また、本発明の表象画像再配置装置によると、電子ファイルの属性情報に応じた順番に並べて各表象画像を再配置できる。また、利用者が整理を望む表象画像のみを再配置できる。また、複数ページの文書を各ページ毎の文書に分割して、各ページ毎の文書の表象画像を利用者が指定した形状に配置できる。
【００２８】
本発明の表象画像再配置プログラムによると、当該プログラムをコンピュータに実行させることにより構成される各機能により、利用者が意図した形状への各表象画像の再配置を、各表象画像を配置する形状を指定するという簡単な操作で行うことができる。
【発明を実施するための最良の形態】
【００２９】
本発明を一実施例に基づいて具体的に説明する。
本例の表象画像再配置装置は、アプリケーションや電子文書等の電子ファイルを表象する表象画像（本例ではアイコンを例に説明する）を表示・再配置する装置であり、その機能構成を図１に示すように、ファイル情報保持部１、アイコン情報保持部２、画面３、入力機器４、表示処理部５、形状テーブル６、配置条件受付部７、対象アイコン受付部８、再配置処理部９、分割処理部１０、等を備えている。
【００３０】
ファイル情報保持部１は、各電子ファイルに係るファイル情報を保持しており、図２に示すように、電子ファイルを識別する「ファイルＩＤ」、電子ファイルに付加された属性情報である「属性」、電子ファイルの保持内容である「内容データ」、等を組にして保持している。
【００３１】
属性情報としては、例えば、電子ファイルの作成日時、ファイル名、更新日時、ファイルサイズ、製作者、ファイル種別、等が設定されている。また、文書の電子ファイルの場合は、例えば、総ページ数、文書表題、等も設定されている。また、電子ファイルについて利用者が予め設定した情報も属性情報として設定することもできる。
【００３２】
アイコン情報保持部２は、各電子ファイルのアイコンに係るアイコン情報を保持しており、図３に示すように、アイコンを識別する「アイコンＩＤ」、対応する電子ファイルを表象する画像である「アイコン画像」、アイコン画像を表示する作業領域（画面３）上の「位置座標」、対応する電子ファイルを識別する「ファイルＩＤ」、等を組にして保持している。
【００３３】
本例では、画面３の表示部全体を１つの作業領域として扱い、当該作業領域上の該当位置に各アイコンを表示するが、例えば、画面３の表示部の一部又は全体を対応付けた複数の作業領域を用意して、画面３に表示する作業領域を切り替え可能とし、画面３に表示された作業領域に対応付けられた各アイコンを該作業領域上の該当位置に表示するようにしてもよい。なお、その場合は、各作業領域を表示する画面３上の位置を示す領域情報を更に保持し、各領域情報と各アイコン情報との対応関係を持つようにすればよい。
【００３４】
画面３は、液晶ディスプレイ等により構成されており、当該画面３に表現された作業領域上に各アイコン画像が表示される。
入力機器４は、マウス等のポインティングデバイス等により構成されており、利用者は当該入力機器４を用いて各情報の入力を行う。
【００３５】
表示処理部５は、アイコン情報保持部２が保持する各アイコン画像を、画面３に表現された作業領域上の対応する位置座標に表示する。
形状テーブル６は、予め設定された複数の形状を保持している。また、利用者が独自に描画した形状を新たに追加して保持することもできる。
【００３６】
配置条件受付部７は、利用者が入力機器４を用いて行った操作に応じて、各アイコンを配置する形状の指定を受け付ける。本例では、形状テーブル６に設定された各形状からの選択を受け付ける「形状選択」、及び、マウス等のポインティングデバイスの操作により描画された形状を受け付ける「形状描画」が可能であり、どちらで形状を指定するかは利用者が選択できる。
【００３７】
また、配置条件受付部７は、各アイコンを並べる順番を決定する条件として用いる電子ファイルの属性情報の指定を受け付けている。本例では、電子ファイルの作成日時、ファイル名、更新日時、ファイルサイズ、製作者、ファイル種別、文書の電子ファイルの総ページ数、文書の電子ファイルの文書表題、電子ファイルについて利用者が予め設定した情報、のいずれか１つ又はこれらの組合せを条件として受け付ける。
【００３８】
対象アイコン受付部８は、利用者が入力機器４を用いて行った操作に応じて、再配置する対象のアイコンの指定を受け付ける。なお、利用者から特に指定がない場合には、作業領域中の全アイコンを対象とする。
【００３９】
再配置処理部９は、配置条件受付部７で受け付けた指定形状に基づいて、対象アイコン受付部８で受け付けた各アイコンを配置する位置座標を以下のようにして算出し、該当する各アイコン情報を更新する。
【００４０】
「形状選択」が指定された場合は、各アイコンを配置する基準となる作業領域上の位置及び形状を拡大又は縮小する変換率の指定を利用者に更に要求しており、その要求に応じて配置条件受付部７で受け付けた位置及び変換率を各アイコンの位置座標の算出に用いる。
【００４１】
具体的には、再配置処理部９は、前記受け付けた変換率に基づいて変換した指定形状を、前記受け付けた位置を基準に作業領域の座標系にあてはめ、当該あてはめた形状を形成する線の始点から終点までの経路上の一定間隔毎の座標を、各アイコンを配置する位置座標として算出する。
【００４２】
本例では、各位置座標の間隔として、経路長を対象のアイコン数で除算して算出した距離を用いているが、予め規定された距離を用いたり、利用者から指定を受け付けるようにしてもよい。また、本例では、位置及び変換率の指定は省略することができ、指定が省略された場合には予め規定された位置及び変換率を用いている。
【００４３】
「形状描画」が指定された場合は、配置条件受付部７で、形状の入力の開始指示及び終了指示を利用者から受け付けて、その間に、作業領域上の所定位置を指し示す指示画像（本例ではカーソルを例に説明する）が利用者の操作入力により移動した経路を形状として受け付けている。そして、再配置処理部９は、当該経路上の一定間隔毎の座標を、各アイコンを配置する位置座標として算出する。
【００４４】
本例では、各位置座標の間隔として、経路長を対象のアイコン数で除算して算出した距離を用いているが、予め規定された距離を用いたり、利用者から指定を受け付けるようにしてもよい。また、本例では、カーソルが移動した経路上の座標を各アイコンの位置座標として算出しているが、当該経路について規定の変換率に基づく変換や規定の位置への移動を行い、これら処理を施した経路上の座標を各アイコンの位置座標として算出してもよい。なお、規定の変換率に代えて、カーソルの移動速度に応じた変換率（例えば、移動速度が速いほど大きな変換率とする、すなわち移動速度が速いほどアイコンの間隔を大きくする）を用いるようにしてもよい。
【００４５】
また、再配置処理部９は、配置条件受付部７で各アイコンを並べる順番の条件として電子ファイルの属性情報を受け付けた場合には、各ファイル情報中の該当する属性情報を参照して各アイコンの並び順を決定し、その並び順に従って各アイコンの位置座標を算出する。
【００４６】
分割処理部１０は、対象アイコン受付部８で受け付けた対象アイコンが複数ページの文書の電子ファイルのアイコンであり、更に分割指示を利用者から受け付けた場合に、当該電子ファイルを各ページ毎の複数の電子ファイルに分割してファイル情報を置き換えるとともに、当該ファイル情報に基づいて対応するアイコン情報を生成してアイコン情報を置き換え、これらの位置座標を再配置処理部９により設定させる。
【００４７】
本例の表象画像再配置装置は、外部の記憶媒体に対するデータアクセスを行う媒体アクセス部、ＨＤＤ（Hard Disk Drive）、ＲＡＭ（Random Access Memory）、ＣＰＵ（Central Processing Unit）等のハードウェア資源を有しており、本発明に係る表象画像再配置プログラムを記憶保持した記憶媒体やＨＤＤから当該プログラムを読み出し、ＲＡＭ上に展開してＣＰＵに演算処理させることにより、表示処理部５、配置条件受付部７、対象アイコン受付部８、再配置処理部９、分割処理部１０を構成しているが、専用の電子回路により構成するようにしてもよい。
【００４８】
本例の表象画像再配置装置によるアイコン再配置処理を、図４を例にして、図５に示す処理手順に従って説明する。
【００４９】
利用者は、マウス等のポインティングデバイス（入力機器４）を操作してアイコンを選択する。本例では、図４（ａ）中の各アイコン２０が選択されており、再配置する対象のアイコンとして対象アイコン受付部８で受け付ける（ステップＳ１１）。
【００５０】
つづいて、利用者は、「形状描画」による形状の指定を選択し、マウス等のポインティングデバイス（入力機器４）を操作して形状を描画する。配置条件受付部７は、形状の入力の開始指示から終了指示までのポインティングデバイスの動作を検知し（ステップＳ１２、ステップＳ１３）、その間のポインティングデバイスの動作に伴って移動したカーソルの軌跡が示す移動経路を計算し（ステップＳ１４）、当該経路を利用者に描画された形状として受け付ける。本例では、図４（ａ）に符号２１で示す破線矢印に従ってカーソルが移動しており、当該移動の経路を各アイコンを配置する形状として受け付けている。
【００５１】
その後、再配置処理部９が、配置条件受付部７で受け付けた経路の経路長を対象のアイコン数で除算して各アイコンの位置座標間の間隔を計算し、当該間隔毎の前記経路上の座標を各アイコンの位置座標として算出する（ステップＳ１５）。
【００５２】
そして、再配置処理部９が、当該算出した各アイコンの位置座標で、アイコン情報保持部２中の該当するアイコン情報を更新すると、表示処理部５により、当該更新されたアイコン情報の内容で作業領域（画面３）上のアイコンが再表示される（ステップＳ１６）。これにより、図４（ｂ）に示すように、利用者が指定した形状に各アイコンが再配置して表示される。
【００５３】
次に、本例の表象画像再配置装置による所定の並び順でのアイコン再配置処理を、図６を例にして、図７に示す処理手順に従って説明する。
【００５４】
利用者は、マウス等のポインティングデバイス（入力機器４）を操作してアイコンを選択する。本例では、図６（ａ）中の各アイコン２０（ファイル名：Ａ〜Ｆ）が選択されており、再配置する対象のアイコンとして対象アイコン受付部８で受け付ける（ステップＳ２１）。
【００５５】
対象アイコン受付部８は、複数の対象アイコンを選択した状態で所定の操作（マウスの右クリック等）がなされたことに応じて、各アイコンを並べる順番を決定する各条件を示す順序指定メニュー２２を表示し、利用者から並び順の条件の指定を受け付ける（ステップＳ２２）。本例では、順序指定メニュー２２に示された「名前順」、「日付の古い順」、「日付の新しい順」等の各条件から「名前順」が利用者に指定されている。
【００５６】
つづいて、利用者は、「形状描画」による形状の指定を選択し、マウス等のポインティングデバイス（入力機器４）を操作して形状を描画する。配置条件受付部７は、形状の入力の開始指示から終了指示までのポインティングデバイスの動作を検知し（ステップＳ２３、ステップＳ２４）、その間のポインティングデバイスの動作に伴って移動したカーソルの軌跡が示す移動経路を計算し（ステップＳ２５）、当該経路を利用者に描画された形状として受け付ける。本例では、図６（ａ）に符号２１で示す破線矢印に従ってカーソルが移動しており、当該移動の経路を各アイコンを配置する形状として受け付けている。
【００５７】
その後、再配置処理部９が、配置条件受付部７で受け付けた経路の経路長を対象のアイコン数で除算して各アイコンの位置座標間の間隔を計算し、当該間隔毎の前記経路上の座標を各アイコンの位置座標として算出する（ステップＳ２６）。ここで、本例では、各アイコンを並べる順番を「名前順」とすることが利用者に指定されているため、前記経路の始点から終点に向けて、電子ファイルの属性「ファイル名」の順番に従って各アイコンの位置座標を算出する。
【００５８】
そして、再配置処理部９が、当該算出した各アイコンの位置座標で、アイコン情報保持部２中の該当するアイコン情報を更新すると、表示処理部５により、当該更新されたアイコン情報の内容で作業領域（画面３）上のアイコンが再表示される（ステップＳ２７）。これにより、図６（ｂ）に示すように、利用者が指定した形状に各アイコンがファイル名の並び順で再配置して表示される。
【００５９】
次に、本例の表象画像再配置装置による複数ページ文書の各ページ毎の文書への分割に伴うアイコン再配置処理を、図８を例にして、図９に示す処理手順に従って説明する。
【００６０】
利用者は、マウス等のポインティングデバイス（入力機器４）を操作してアイコンを選択する。本例では、図８（ａ）中のアイコン２０ａが選択されており、再配置する対象のアイコンとして対象アイコン受付部８で受け付ける（ステップＳ３１）。なお、アイコン２０ａは、９ページからなる電子文書を表象するアイコンを示している。
【００６１】
対象アイコン受付部８は、電子文書を表象する１つのアイコンを対象として選択した状態で所定の操作（マウスの右クリック等）がなされたことに応じて、電子文書操作メニュー２３を表示し、「開く」、「切り取り」、「コピー」等の一般的な文書処理に加えて、複数ページの電子文書を各ページ毎の電子文書に分割する「ばらす」の指定を利用者から受け付けている。そして、利用者により「ばらす」が指定されて、電子文書の分割指示がなされたことにより（ステップＳ３２）、以下の処理を行う。
【００６２】
利用者が、「形状描画」による形状の指定を選択して、マウス等のポインティングデバイス（入力機器４）を操作して形状を描画すると、配置条件受付部７で、形状の入力の開始指示から終了指示までのポインティングデバイスの動作を検知し（ステップＳ３３、ステップＳ３４）、その間のポインティングデバイスの動作に伴って移動したカーソルの軌跡が示す移動経路を計算し（ステップＳ３５）、当該経路を利用者に描画された形状として受け付ける。本例では、図８（ｂ）に符号２１で示す破線矢印に従ってカーソルが移動しており、当該移動の経路を各アイコンを配置する形状として受け付けている。
【００６３】
その後、分割処理部１０が、指定されたアイコンに対応する電子ファイル（複数ページの文書）をページ毎に分割し、各ページの電子ファイルのファイル情報を生成してファイル情報保持部１中の分割元のファイル情報と置き換える。また、各ファイル情報に基づいて対応するアイコン情報を生成してアイコン情報保持部２中の分割元のアイコン情報と置き換える（ステップＳ３６）。
【００６４】
次いで、再配置処理部９が、配置条件受付部７で受け付けた経路の経路長を、分割後の電子ファイル数（元文書のページ数）で除算して各アイコンの位置座標間の間隔を計算し、当該間隔毎の前記経路上の座標を各ページ毎のアイコンの位置座標として算出する（ステップＳ３７）。なお、本例では、前記経路の始点から終点に向けてページ順に各アイコンの位置座標を算出する。
【００６５】
そして、再配置処理部９が、当該算出した各ページ毎の各アイコンの位置座標を、アイコン情報保持部２中の該当するアイコン情報に設定すると、表示処理部５により、分割されたアイコン情報の内容で作業領域（画面３）上にアイコンが表示される（ステップＳ３８）。これにより、図８（ｂ）に示すように、９ページからなる電子文書が各ページ毎に分割され、各ページ毎の電子文書を表象する９個のアイコン２０ｂが、利用者が指定した形状にページ順に配置して表示される。
【００６６】
上記説明したアイコン再配置処理は、いずれも「形状描画」による形状の指定がなされた場合を例に説明したが、「形状選択」による形状の指定がなされた場合は、本例の配置条件受付部７は、図１０に示すような、予め設定された形状の選択を受け付ける形状選択画面を表示する。同図によると、「右方向」が選択され、左から右に向かう線分がアイコンを配置する形状として指定されている。なお、本例では、選択された形状を示す画像を作業領域上の規定の位置に規定の変換率に基づいて変換して一旦表示し、利用者による位置や変換率の変更を受け付けている。
【００６７】
本例の表象画像再配置装置における「形状描画」では、形状の入力の開始指示から終了指示までのカーソルの移動経路を各アイコンを配置する形状として受け付けているが、開始指示の時点のカーソル位置を始点とし、終了指示の時点のカーソル位置を終点とした線分を、各アイコンを配置する形状として受け付けてもよい。
【００６８】
この場合、当該線分上の座標を各アイコンの位置座標として算出するほか、当該線分の規定の変換率への変換や規定の位置への移動を行い、これら処理を施した線分上の座標を各アイコンの位置座標として算出してもよい。なお、規定の変換率に代えて、カーソルの移動の直線距離や速度に応じた変換率（例えば、移動の直線距離の２倍の変換率や、移動速度が速いほど大きな変換率とする）を用いるようにしてもよい。
【図面の簡単な説明】
【００６９】
【図１】本発明の一実施例に係る表象画像再配置装置の機能構成を示す図である。
【図２】本発明の一実施例に係るアイコン情報保持部の保持データを示す図である。
【図３】本発明の一実施例に係るファイル情報保持部の保持データを示す図である。
【図４】本発明の一実施例に係るアイコンの再配置例を示す図である。
【図５】本発明の一実施例に係るアイコン再配置処理の手順を示す図である。
【図６】本発明の一実施例に係る並び順変更を伴うアイコンの再配置例を示す図である。
【図７】本発明の一実施例に係る並び順変更を伴うアイコン再配置処理の手順を示す図である。
【図８】本発明の一実施例に係る複数ページの電子文書のページ分割を伴うアイコンの再配置例を示す図である。
【図９】本発明の一実施例に係る複数ページの電子文書のページ分割を伴うアイコン再配置処理の手順を示す図である。
【図１０】本発明の一実施例に係る形状選択画面を示す図である。
【符号の説明】
【００７０】
１：ファイル情報保持部、  ２：アイコン情報保持部、
３：画面、  ４：入力機器、
５：表示処理部、  ６：形状テーブル、
７：配置条件受付部、  ８：対象アイコン受付部、
９：再配置処理部、  １０：分割処理部
【図１】
2008040771.tif 000003
【図２】
2008040771.tif 000004
【図３】
2008040771.tif 000005
【図４】
2008040771.tif 000006
【図５】
2008040771.tif 000007
【図６】
2008040771.tif 000008
【図７】
2008040771.tif 000009
【図８】
2008040771.tif 000010
【図９】
2008040771.tif 000011
【図１０】
2008040771.tif 000012